(57)【要約】【課題】従来のディスク収納ケースは、プラスチック製のため、重ねるとケース同士が滑ってズレたり、立てかけると倒れやすく、保管しづらいという問題があり、ケース保管時、ズレないディスク収納ケースが要求されている。【解決手段】二枚のディスク収納トレーにおいて、一方のトレーは、その一部に穴ないし凸状ドーーム体を有し、もう一方のトレーは、その一部に前者トレーの穴寸法ないし凸状ドーム寸法より小さい凸状ドーム体ないし凸状突起を有し、前者トレーの穴ないし凸状ドーム体内に、その下方より後者トレーの凸状ドーム体ないし凸状突起を差し込んでトレーを重ねて調整した時、二枚のトレーは、その各々の縦同士、横同士が同一寸法の形状となり、さらに、同様の他の二枚のトレーを同様の方法で、凸状ドーム体ないし凸状突起の中心を軸として繰り返し重ねた時、ズレない構造を有した一対のトレーを提供する。【選択図】　　図１
0003097390.tif 000002
【実用新案登録請求の範囲】
【請求項１】
二枚のディスク収納トレーにおいて、一方のトレーは、その一部に穴ないし凸状ドーム体を有し、もう一方のトレーは、その一部に前者トレーの穴寸法ないし凸状ドーム寸法より小さい凸状ドーム体ないし凸状突起を有し、前者トレーの穴ないし凸状ドーム体内に、その下方より後者トレーの凸状ドーム体ないし凸状突起を差し込んでトレーを重ねて調整した時、二枚のトレーは、その各々の縦同士、横同士が同一寸法の形状となり、さらに、同様の他の二枚のトレーを同様の方法で、凸状ドーム体ないし凸状突起の中心を軸として繰り返し重ねた時、ズレない構造を有した一対のトレー
【考案の詳細な説明】
【０００１】
【考案の属する技術分野】
本考案は、コンパクトディスク（ＣＤ）、ＤＶＤ（デジタル多用途ディスク）、ＭＯ（磁気光ディスク）、次世代の青色光ディスクなど、各種ディスクの収納用容器を重ねた時、ズレない機能を有したディスク収納用トレー関するものである。
【０００２】
【従来の技術】
従来、ＣＤなどのディスクは、Ｐケースやジュエルケースと呼ばれている汎用フタ付きシェル（貝殻）ケースに収納されているのが一般的である。ＤＶＤはアマレイケースと呼ばれるＡ５サイズのフタ付きシェルケースに収納されている場合が多い。
【０００３】
【考案が解決しようとする課題】
前記Ｐケースは、プラスチック製で滑りやすいため、重ねたり、立てかけたりした時、滑ってズレたり、バラバラになったり、倒れたりするため、収納したケースを安定して保存することがむずかしかっった。なおかつ、副次的に、前記の汎用Ｐケースは、背幅が１０ｍｍ、スリムタイプで７ｍｍあり、ケース収納時にカサばっていた。逆に、厚みの簿い袋状のディスク収納ケースの場合は、見出しが見づらく、保存管理しにくいという問題があった。
【０００４】
【課題を解決するための手段】
二枚のディスク収納トレーにおいて、一方のトレーは、その一部に穴ないし凸状ドーム体を有し、もう一方のトレーは、その一部に前者トレーの穴寸法ないし凸状ドーム寸法より小さい凸状ドーム体ないし凸状突起を有し、前者トレーの穴ないし凸状ドーム体内に、その下方より後者トレーの凸状ドーム体ないし凸状突起を差し込んでトレーを重ねて調整した時、二枚のトレーは、その各々の縦同士、横同士が同一寸法の形状となり、さらに、同様の他の二枚のトレーを同様の方法で、凸状ドーム体ないし凸状突起の中心を軸として繰り返し重ねた時、ズレない構造を有した一対のトレーを提供する。
【０００５】
また、汎用Ｐケースの背幅は１０ｍｍ、スリムタイプのそれは７ｍｍあり、背幅（厚み）が厚く、重ねたり立てかけたりするとカサばるため、本考案によるディスク収納容器は、取り扱いが簡単なフタのないトレー構造で、カサばらせないために、トレー厚みも５ｍｍ程度に設定した。
【０００６】
【考案の実施の形態】
以下、本考案によるディスク収納用トレーに関し、具体的に、図を参照しながら、説明する。
【図１】に関し、右下に丸穴を有した左側トレー１と左上に凸状ドーム体３を有した右側トレー２が連結部７と７′でつながっており、連結部をヒンジ部分として、ディスク収納部分５と５′の各裏面が合掌するように折り曲げることができる。この一対ないし数対のトレーを化粧ケースに収納すれば、量販店で販売される商品になる。ディスク収納面が外側に向くように折り曲げれるのは、店頭における商品の消費者への訴求力を示すために有効である。ディスク収納側を保護することを重視する場合は、ディスク収納面が合掌するようなヒンジ部分の設計にすることもできる。
【０００７】
本考案による一対のトレーは、連結したままでも使用できるが、折曲げた後、
切り離して使用する場合もある。従って、
【図１】において、連結部７と７′は、トレーの使い方により不必要な場合も有る。トレーの材質としては、折曲げ時のヒンジ強度を重視して、ポリプロピレンにするか、透明性を重視して、汎用のスチレン樹脂などにするのが一般的である。
【０００８】
トレー１とトレー２を連結部７と７′部分を手で切り離して、トレー１を天地逆に１８０度回転させて、トレー２の上方より重ねると、トレー１の穴４内にトレー２の凸状ドーム体３が差し込まれて、トレー１とトレー２の各々の縦同士、横同士が同一寸法になるように重ねられる。さらに、もう一対のトレー１とトレー２を同様に重ねた一対のトレーを前記の一対のトレー上に重ねた二対のトレー
を重ねた斜視図が
【図２】である。
【０００９】
もちろん、
【図１】において、一対のトレーを連結して成型加工し、連結部７と７′部分を手で切り離して単独で使用する場合は、切り離し後、発生したバリを取ることが必要となるため、初めから連結せずに、切り離された構造の一対のトレーが成型できるようにした方が利便性がある。
【００１０】
【図２】において、トレー２の凸状ドーム体３の中心を軸としてトレー天部側
面と平行に引いた線部分のトレーＡ−Ａ′断面図が
【図３】である。
【図３】において、凸状ドーム体３ないし凸状突起３と穴４ないし凸状ドーム体４を軸として、一対のトレーを交互に反復して重ねられ、トレーがズレないような構造になっている。また、二対トレー４枚を重ねたトレーの厚みは約２０ｍｍで、従来のＰケースの計厚み２８〜４０ｍｍよりも２９〜５０％薄くなる。
【００１１】
【図２】において、二対のトレー全部のセンタークランプ部６と６′にディスクをセットし、トレー１の凸状部３の中心を軸として、二対のトレーを扇型にズラして、開いた状態にした斜視図が
【図４】である。
【００１２】
【考案の効果】
以上説明したように、本考案による汎用ディスクトレーは、従来のＰケースやジュエルケースと呼ばれているディスク収納容器の問題点を解決した。すなわち、従来のＰケースは、重ねたり、立て掛けたりした時、滑ってズレたり、倒れたりするため、収納したケースを安定して保存することができなかったが、本考案
によるトレーは、
【図２】のようにトレー２の凸状ドーム体３を軸としているため、重ねたトレーがバラけて、ズレることがないので、きれいにディスクを収納できる。
【００１３】
また、本考案によるディスクトレーは、
【図４】のように、凸状ドーム体３の軸を中心に、重ねたトレーを円弧状にズラしてディスクを見ることができるため、トレーをバラけさせることなく、ディスクを探すのが簡単である。同時に、従来のＰケースのようなフタ部がないため、フタ部を開ける手間が要らず、ディスクをトレーより出し入れするのが従来より容易である。ただし、当該トレーを重ねたとき、最上部のトレーは開放状態であり、ゴミなどがディスクに付着し易いため、最上部トレー１ないしトレー２の上に、もう一枚のトレー１ないしトレー２をフタとして重ねて使用したほうが良い。
【００１４】
一方、従来のＰケースの背幅は１０ｍｍ、スリムタイプのそれは７ｍｍで、背幅が厚いために、カサばっていた。本考案によるトレー１およびトレー２は、各々、５ｍｍ厚程度の厚みに設定することが好ましく、厚み（背幅）を従来より２９〜５０％削減できるため、省スペースができる。また、当該トレーより厚みの薄いディスク収納袋はカサばらないが、逆に、同収納袋は背幅が薄過ぎるため、ディスクタイトルを背部に表示ができない。従って、当該トレーは、従来のＰケースと同様にディスクのタイトルをトレー側面部（背部）に表示できるため、ディスクの内容を分類・管理でき、その厚み（背幅）が適度であるため、カサばらず、Ｐケースとディスク収納袋の良いところを折衷したディスク収納容器であることがわかる。
【００１５】
また、トレー２の凸状ドーム体３の付け根に切り込みキズを入れた形状にすれば、指で押すと、凸状ドーム体３の付け根から折れて、トレー天面が平らになる。あるいは、同凸状ドーム体３部分の成型金型を入れ子にして、射出成型などすれば、同様に、同トレー天面が平らにできる。そうすると、トレー１およびトレー２の裏面をした二つ折りや三つ折りした印刷済み板紙上の表面に糊貼りした後、板紙を折りたためば、ディスクトレー付き印刷板紙パッケージとして活用できる。ただし、この場合は、本考案による前記請求項とは別の特徴を持ったトレーとしての使い道である。
【図面の簡単な説明】
【図１】穴付きトレーと凸状ドーム体付きトレー連結品斜視図
【図２】穴付きトレーの穴内に凸状ドーム体付きトレーの突起を差し込んで重ねた二対のトレー斜視図
【図３】
【図２】のＡ−Ａ′断面図
【図４】
【図２】のトレーにディスクをセットし、凸状ドーム体を軸として、円弧状にズラせた状態の二対のトレー斜視図
【符号の説明】
１　　　穴付きトレー
２　　　凸状ドーム体付きトレー
３　　　穴付きトレーの穴部
４　　　凸状ドーム体付きトレーの凸状ドーム体部
５と５′　トレーのディスク収納部
６と６′　トレーのディスク保持部
７と７′　トレーのディスク連結部
８　　　ディスク
【図１】
0003097390.tif 000003
【図２】
0003097390.tif 000004
【図３】
0003097390.tif 000005
【図４】
0003097390.tif 000006